(57)【要約】【課題】  磁気テープカートリッジの組立時に、リールロックと上ハーフの係合部とを嵌合させやすい磁気テープカートリッジ及び磁気テープカートリッジの組立方法を提供する。【解決手段】  下ハーフ１２に形成されたリール駆動用開口１２ａの周縁に、テープリール１４をロックした際に該テープリール１４に当接するリブ２１が形成され、リブ２１におけるテープリール１４と接触する箇所と、テープリール１４におけるリブ２１に接触する箇所とのうち少なくとも一方が３点で接触するように表面処理されている。【選択図】  図１
2005267788.tif 000002
【特許請求の範囲】
【請求項１】
上ハーフと下ハーフとからなるカートリッジケースと、
前記カートリッジケース内に保持され、磁気テープを巻回したテープリールと、  前記テープリールの中央部に前記上ハーフ側に開口するように形成されたハブと、
前記下ハーフの底面に前記テープリールの中央部が露呈するように形成されたリール駆動用開口と、
前記ハブ内に前記テープリールの回転をロックするためのリールロック機構とを備えた磁気テープカートリッジであって、
前記リールロック機構が、有底円筒状に形成されたリールロックと、前記リールロックの底部内面に形成され、前記上ハーフの内面に突設された係合部に嵌合するハーフ側係合部と、前記リールロックの底部外面に形成され、前記ハブの底部内面に形成された係合部に係合するハブ側係合部と、前記リールロックと前記上ハーフとの間に設けられ、前記リールロックを係合側に付勢する付勢手段とを有し、
前記リール駆動用開口の周縁に、前記テープリールをロックした際に、前記テープリールに当接するリブが形成され、前記リブにおける前記テープリールと接触する箇所と、前記テープリールにおける前記リブに接触する箇所とのうち少なくとも一方が３点で接触するように構成されていることを特徴とする磁気テープカートリッジ。
【請求項２】
上ハーフと下ハーフとからなるカートリッジケース内に磁気テープを巻回したテープリールが回転自在に配置され、前記上ハーフ側に開口する前記テープリールのハブ内に、前記テープリールの回転をロックするため、有底円筒状に形成されたリールロックと、前記リールロックの底部内面に前記上ハーフの内面に突設された係合部に嵌合するハーフ側係合部と、前記リールロックの底部外面に形成され、前記ハブの底部内面に形成された係合部に係合するハブ側係合部と、前記リールロックと前記上ハーフとの間に設けられて前記リールロックを係合側に付勢する付勢手段とを有するリールロック機構が備えられた磁気テープカートリッジの組立方法であって、
磁気テープカートリッジの組立時に、前記下ハーフの底部内面に形成されたリール駆動用開口からリール支持部材を挿入し、前記リール支持部材によって前記テープリールを周方向に回動自在に保持するとともに前記テープリールと前記下ハーフとを離間させたうえで、前記上ハーフの係合部に前記ハーフ側係合部を嵌合させることを特徴とする磁気テープカートリッジの組立方法。
【発明の詳細な説明】
【技術分野】
【０００１】
本発明は、磁気テープカートリッジ及び磁気テープカートリッジの組立方法に関し、特に、磁気テープカートリッジの組立時に、リールロックと上ハーフの係合部とを嵌合させやすい磁気テープカートリッジ及び磁気テープカートリッジの組立方法に関する。
【背景技術】
【０００２】
一般に、コンピュータ等のデータバックアップ用の外部記録媒体として用いられる磁気テープカートリッジとして、下記特許文献１から３に示すように、下ハーフと上ハーフとに分割構成されたケース本体の内部に、磁気テープを巻装した単一のテープリールを収容したものがある。このような構成の磁気テープカートリッジは、ケース本体の一側面に、磁気テープ引出し用の開口が設けられている。また、下ハーフの底面中央部には、テープリールのハブの底部外面が露出するリール駆動用の開口が設けられている。
【０００３】
このような磁気テープカートリッジが装填されるドライブ装置は、ケース本体側面の磁気テープ引出し用の開口から磁気テープのリーダピンを引き出して磁気テープをテープリールから巻き出しつつデータの記録・再生を行い、また、テープリールのハブをドライブ装置の駆動部によって回転駆動して磁気テープをテープリールに巻き戻しつつデータの記録・再生を行う。そして、磁気テープカートリッジは、ドライブ装置に装填されたときのみテープリールが回転し、ドライブ装置から排出されたときにはテープリールが不用意に回転しないように、テープリールをロック状態に保つリールロックと、テープリールのロック状態を解除するリリースパッドとをテープリールのカップ状に形成されたハブ内に備えている。
【０００４】
リールロックは、上ハーフとの間に介設される圧縮コイルばねの下端を収納するために、上ハーフ側に臨んで開口する有底円筒状の形状を有しており、底部内面の中央部には、上ハーフの内面の中央部に突設された係合部に常時嵌合するハーフ側係合部が形成され、底部外面の周辺部にはリールのハブの底部内面の周辺部に形成された係合部に係脱可能なハブ側係合部が形成されている。このリールロックは、上ハーフとの間に介設された圧縮コイルばねの付勢力によって底部外面のハブ側係合部をハブの底部内面の係合部に係合させることにより、リールをロック状態に保つ。
【０００５】
一方、リリースパッドは、リールロックとリールのハブの底部内面との間に介設される概略三角形などの板状部材であり、ハブ底部の周辺部に形成される貫通孔に挿入される複数本のロック解除ピンを有している。このリリースパッドは、磁気テープカートリッジがドライブ装置に装填されてリールのハブがドライブ装置のリール駆動機構により回転駆動される際に、ハブ底部の貫通孔に挿入された各ロック解除ピンがリールロック側へ押し戻されることにより、リールロックを圧縮コイルばねに抗して上ハーフ側に押し動かし、リールロックの底部外面のハブ側係合部とハブの底部内面の係合部との係合を外してリールのロック状態を解除する。
【０００６】
ここで、磁気テープカートリッジの組立工程において、テープリールのハブ内にリールロックを組み付ける際は、リールロックは、側部または底部内面のハーフ側係合部を把持されて、ハブ内にハーフ側係合部が上側となるように挿入される。このとき、リールロックのハーフ側係合部と上ハーフの係合部は、嵌合面が互いに嵌合する形状となっているため、リールロックのハーフ側係合部の嵌合面の向きを、上ハーフの係合部の嵌合面の向きに対して嵌合可能となるように合わせる必要がある。
【０００７】
【特許文献１】特開２００２−３５２５５１号公報
【特許文献２】特開２００２−３６７３３１号公報
【特許文献３】特開２００３−９１９６１号公報
【発明の開示】
【発明が解決しようとする課題】
【０００８】
しかし、従来の磁気テープカートリッジにおいて、テープリールのハブ内にリールロックを組み付ける際に、リールロックのハーフ側係合部の嵌合面の向きを、上ハーフの係合部の嵌合面の向きに対して嵌合可能となるように合わせすることは容易ではなかった。
【０００９】
上ハーフの係合部の嵌合面にＲ部を形成し、リールロックのハーフ側係合部に嵌め込み易くなるようにする構成も考えられている。しかし、磁気テープカートリッジの組立時に上ハーフと下ハーフとを組み合わせた際に、リールロックが周方向に約１５度より大きい角度でずれていると、リールロックのハーフ側係合部の嵌合面と上ハーフの係合部の嵌合面とが互いに干渉し、上ハーフと下ハーフとを組み合わせることができない。これは、圧縮コイルばねの付勢力によってテープリールが下ハーフに押圧されてテープリールと下ハーフとの間に接触抵抗が生じ、このテープリールのハブに収容されたリールロックが、上ハーフの係合部の嵌合面に従って周方向にほとんど回動しないことも主な原因である。また、その際に、上ハーフと下ハーフとを無理に組み合わせた場合には、リールロックの組み付け不良が発生する。
【００１０】
本発明は、上記事情に鑑みてなされたもので、その目的は、磁気テープカートリッジの組立時に、リールロックと上ハーフの係合部とを嵌合させやすい磁気テープカートリッジ及び磁気テープカートリッジの組立方法を提供することにある。
【課題を解決するための手段】
【００１１】
本発明の上記目的は、上ハーフと下ハーフとからなるカートリッジケースと、カートリッジケース内に保持され、磁気テープを巻回したテープリールと、テープリールの中央部に上ハーフ側に開口するように形成されたハブと、下ハーフの底面にテープリールの中央部が露呈するように形成されたリール駆動用開口と、ハブ内にテープリールの回転をロックするためのリールロック機構とを備えた磁気テープカートリッジであって、リールロック機構が、有底円筒状に形成されたリールロックと、リールロックの底部内面に形成され、上ハーフの内面に突設された係合部に嵌合するハーフ側係合部と、リールロックの底部外面に形成され、ハブの底部内面に形成された係合部に係合するハブ側係合部と、リールロックと上ハーフとの間に設けられ、リールロックを係合側に付勢する付勢手段とを有し、リール駆動用開口の周縁に、テープリールをロックした際に、テープリールに当接するリブが形成され、リブにおけるテープリールと接触する箇所と、テープリールにおけるリブに接触する箇所とのうち少なくとも一方が３点で接触するように構成されていることを特徴とする磁気テープカートリッジによって達成される。
【００１２】
上記磁気テープカートリッジは、下ハーフのリール駆動用開口の周縁に形成されたリブにおいてテープリールと接触する箇所とテープリールにおけるリブに接触する箇所とのうち少なくとも一方が３点で接触するように加工されているため、下ハーフのリブとテープリールとを摺動させた際に生じる接触抵抗を低減させることができる。すると、磁気テープカートリッジの組立時に上ハーフと下ハーフとを組み合わせた際に、リールロックのハーフ側係合部の嵌合面と上ハーフの係合部の嵌合面とが互いに干渉しても、テープリールと下ハーフとの接触抵抗を低減させることで、ハーフ側係合部と上ハーフの係合部とが嵌め合わされる向きに回動するようになる。このため、上ハーフと下ハーフとをスムーズに組み合わせることができ、リールロックの組み付け不良が発生することを防止することができる。
【００１３】
また、本発明の上記目的は、上ハーフと下ハーフとからなるカートリッジケース内に磁気テープを巻回したテープリールが回転自在に配置され、上ハーフ側に開口するテープリールのハブ内に、テープリールの回転をロックするため、有底円筒状に形成されたリールロックと、リールロックの底部内面に上ハーフの内面に突設された係合部に嵌合するハーフ側係合部と、リールロックの底部外面に形成され、ハブの底部内面に形成された係合部に係合するハブ側係合部と、リールロックと上ハーフとの間に設けられてリールロックを係合側に付勢する付勢手段とを有するリールロック機構が備えられた磁気テープカートリッジの組立方法であって、磁気テープカートリッジの組立時に、下ハーフの底部内面に形成されたリール駆動用開口からリール支持部材を挿入し、リール支持部材によってテープリールを周方向に回動自在に保持するとともにテープリールと下ハーフとを離間させたうえで、上ハーフの係合部にハーフ側係合部を嵌合させることを特徴とする磁気テープカートリッジの組立方法によって達成される。
【００１４】
上記の磁気テープカートリッジの組立方法は、磁気テープカートリッジの組立時に、下ハーフの底部内面に形成されたリール駆動用開口からリール支持部材を挿入してテープリールを下ハーフから離間させた状態としていることから、テープリールが下ハーフと摺動して接触抵抗が生じることがない。また、リール指示部材はテープリールを周方向に回動自在に保持している。そして、磁気テープカートリッジの組立時に上ハーフと下ハーフとを組み合わせた際には、リールロックのハーフ側係合部の嵌合面と上ハーフの係合部の嵌合面とが互いに干渉しても、テープリールが下ハーフとの接触抵抗によって固定されることなく、ハーフ側係合部と上ハーフの係合部とが嵌め合わされる向きに自由に回動するようになる。このため、上ハーフと下ハーフとをスムーズに組み合わせることができ、リールロックの組み付け不良が発生することを防止することができる。
【発明の効果】
【００１５】
本発明によれば、磁気テープカートリッジの組立時に、リールロックと上ハーフの係合部とを嵌合させやすい磁気テープカートリッジ及び磁気テープカートリッジの組立方法を提供できる。
【発明を実施するための最良の形態】
【００１６】
以下、本発明の実施形態を図面に基づいて詳しく説明する。
図１は、本発明に係る磁気テープカートリッジの構成を示す分解斜視図である。図２は、図１に示す磁気テープカートリッジを組立てた状態を示す断面図である。
【００１７】
図１に示すように、磁気テープカートリッジ１０は、下ハーフ１２と上ハーフ１３とに分割構成されたカートリッジケース１１を備えている。カートリッジケース１１の内部に、磁気テープＴが巻装された単一のテープリール１４が回転可能に収容保持されている。
【００１８】
また、カートリッジケース１１には、テープリール１４の回転をロック状態に保つためのリールロック１６と、圧縮コイルばね１７と、テープリール１４のロック状態を解除するためのリリースパッド１５が組み込まれている。下ハーフ１２および上ハーフ１３に跨がるように、カートリッジケース１１の一側面に磁気テープ引出口１１ａが形成されている。
【００１９】
さらに、カートリッジケース１１には、磁気テープ引出口１１ａを開閉するスライドドア１９と、スライドドア１９を磁気テープ引出口１１ａの閉位置に付勢するねじりコイルばね１９ａと、誤消去防止爪１８と、図示しないＩＣチップなどが組み込まれている。
【００２０】
テープリール１４は、上ハーフ１３側に開口するカップ状のハブ１４ａを中心部に有し、このハブ１４ａの内部にリリースパッド１５、リールロック１６及び圧縮コイルばね１７が順次組み付けられる。
【００２１】
ハブ１４ａの底面１４ｂの外面は、下ハーフ１２の底面の中央部に形成された円形のリール駆動用開口１２ａから外部に露呈しており、この底面１４ｂの外面周辺部には図示しないフェースギヤが形成されている。フェースギヤは、テープリール１４を回転させるため、磁気テープカートリッジ１０が装填される図示しないドライブ装置側の駆動用のフェースギヤと噛み合う。なお、ハブ１４ａの外側底面１４ｇには、図示しないドライブ装置側のマグネットにより吸着される金属板１４ｈが埋め込まれている。
【００２２】
テープリール１４のハブ１４ａの底面１４ｂには、リリースパッド１５のパッド本体１５ａの下面に突設されたロック解除ピン１５ｂを導出させる３個の導出孔１４ｃが形成されている。これらの導出孔１４ｃは、所定半径の配列円周に沿ってハブ１４ａの内周壁１４ｄの近傍に等間隔で配列されており、ハブ１４ａの底面１４ｂのフェースギヤのギヤ幅内に開口している。
【００２３】
また、底面１４ｂの上面の周辺部には、３個の導出孔１４ｃ間の中央部の３個所に配置して係合部１４ｅが突設され、各係合部１４ｅの上面には、放射状の刃筋を有する断面三角形の凹凸係合面が形成されている。さらに、ハブ１４ａの内周面には、軸方向に沿って上下に延びる複数の補強用リブ１４ｆが形成されている。なお、補強用リブ１４ｆは、少なくとも各導出孔１４ｃの開口個所をよけて形成されている。
【００２４】
リールロック１６は、圧縮コイルばね１７の下端を収納するために、上ハーフ１３側に臨んで開口する有底円筒状に形成され、底部外面の周辺部には、テープリール１４の係合部１４ｅの凹凸係合面に係合可能な放射状の刃筋を有する断面三角形の係合面（ハブ側係合部）１６ａが形成されている。
【００２５】
また、リールロック１６の底部内面の中央部には、上ハーフ１３の内面の中央部に突設された４本の突起状の係合部１３ａが挿入される十字状溝部（ハーフ側係合部）１６ｂが形成されている。リールロック１６は、テープリール１４のハブ１４ａ内に収容可能な形状に形成されている。
【００２６】
リールロック１６の側部には、十字状溝部１６ｂの高さと同じ、あるいは、十字状溝部１６ｂの高さよりも低い側壁１６ｃが形成されている。リールロック１６の十字状溝部１６ｂと側壁１６ｃとの間に、該リールロック１６と上ハーフ１３との間に介設された圧縮コイルばね１７の下端が取り付けられる。リールロック１６は、圧縮コイルばね１７によってハブ１４ａの底面１４ｂに向けて付勢され、リールロック１６の底部外面の係合面１６ａがハブ１４ａの底面１４ｂ上の係合部１４ｅと係合する。
【００２７】
リリースパッド１５は、角部の輪郭を円弧状とした概略正三角形の板状に形成され、ハブ１４ａの底面１４ｂとリールロック１６との間に介設されるパッド本体１５ａを有している。パッド本体１５ａの各角部の下面には、ハブ１４ａの底面１４ｂに形成された３個の導出孔１４ｃにそれぞれ挿通される円柱状の３本のロック解除ピン１５ｂが角部の円弧状周面１５ｃに連続して突設されている。
【００２８】
パッド本体１５ａの中央部には、リールロック１６の底部外面の中央部に形成された図示しない球面突起に点接触する球面突起１５ｄが形成されている。さらに、パッド本体１５ａには、球面突起１５ｄと各角部との中間部に配置して３個のチャック挿通穴１５ｅが形成されている。
【００２９】
本実施形態の磁気テープカートリッジ１０において、下ハーフ１２の内側底面にはリール駆動用開口１２ａの周縁に沿って上方へ突出するように形成されたリブ２１が設けられている。
【００３０】
本実施形態の磁気テープカートリッジ１０を組み立てる際は、先ず、下ハーフ１２にテープリール１４を組み付け、続いて、テープリール１４のハブ１４ａ内にリリースパッド１５、リールロック１６、圧縮コイルばね１７を順次組み付ける。そして、下ハーフ１２にスライドドア１９、コイルばね１９ａ、誤消去防止爪１８、ＩＣチップ（図示せず）を組み付け、最後に、上ハーフ１３の内面の十字状突起１３ａをリールロック１６の十字状溝部１６ｂに嵌合させながら押し込んで、下ハーフ１２に上ハーフ１３を組み合わせる。
【００３１】
磁気テープカートリッジ１０を組み立てる際には、テープリール１４が圧縮コイルばね１７によって下ハーフ１２の底面に押し付けられることで、下ハーフ１２のリール駆動用開口１２ａの周囲に形成されたリブ２１の上面２１ａが、ハブ１４ａの下方端部に当接する。
【００３２】
本実施形態の磁気テープカートリッジ１０は、リブ２１におけるテープリール１４と接触する箇所（本実施形態においては上面２１ａ）と、テープリールｋ１４におけるリブ２１に接触する箇所（本実施形態においてはハブ１４ａの下方端部）とのうち少なくとも一方が３点で接触するように表面処理されていることを特徴とする。ここで、表面処理としては、例えば、シボ加工、溝加工、段加工である。
【００３３】
本実施形態の磁気テープカートリッジ１０では、リブ２１の上面２１ａに上記表面処理を施したが、テープリール１４におけるリブ２１に接触する箇所に上記表面処理を施すことで、リブ２１とテープリール１４とが３点で接触するように構成してもよい。さらに、リブ２１の上面２１ａと、テープリールｋ１４におけるリブ２１に接触する箇所との両方に上記表面処理を施し、両者が３点で接触する構成としてもよい。
【００３４】
図３は、リブの上面に表面加工を施して微細な凹凸を形成した状態を示す模式図である。図３の縦軸はリブ２１の上面２１ａから突出する大きさを示し、横軸は、リブ２１の周方向位置を示している。なお、リブの周方向位置とは、図１に示すように、リール駆動用開口の周縁に沿って略環状に形成されたリブ２１において、上面２１ａの周方向における位置をいう。
【００３５】
図３に示すように、リブ２１は、その上面２１ａが周方向において凹凸の突出量が複数（本実施形態において３つ）の極大値Ｐ１，Ｐ２，Ｐ３を有し、また、複数（本実施形態において３つ）の極小値Ｂ１，Ｂ２，Ｂ３を有している。本実施形態では、リブ２１の上面２１ａにおいて凹凸の突出量が極大となる凸部を少なくとも３つ形成されている。このため、本実施形態の磁気テープカートリッジ１０は、リブ２１とテープリール１４とが最小で３点で接触するようになる。なお、リブ２１の上面２１ａは、凹凸の突出量が４つ以上の極大値を有するように表面処理されていてもよいが、本実施形態のように３つの極大値を有するようにすることがより望ましい。
【００３６】
また、本実施形態の磁気テープカートリッジ１０において、リブ２１の上面２１ａの凹凸のピークトゥピーク値ｄ（突出量が最大となる値と最小となる値の差）が０．１ｍｍより小さいと、リブ２１とテープリール１４との接触抵抗を低減させることができない。一方、ピークトゥピーク値ｄが０．２ｍｍより大きいとテープリール１４がリブ２１との摺動で削れてしまうことがあり、また、テープリール１４とリール駆動用開口１２ａとの密閉性が低下し、磁気テープカートリッジ１０の防塵性が劣化してしまう。このため、ピークトゥピーク値ｄが０．１ｍｍ以上で、且つ、０．２ｍｍ以下となることが好ましい。
【００３７】
磁気テープカートリッジ１０は、下ハーフのリール駆動用開口の周縁に形成されたリブ２１においてテープリール１４と接触する箇所（上面２１ａ）とテープリール１４におけるリブに接触する箇所とのうち少なくとも一方が３点で接触するように加工されているため、下ハーフ１２のリブ２１とテープリール１４とを摺動させた際に生じる接触抵抗を低減させることができる。すると、磁気テープカートリッジ１０の組立時に上ハーフ１３と下ハーフ１２とを組み合わせた際に、リールロック１６のハーフ側係合部１６ｂの嵌合面と上ハーフ１３の係合部１３ａの嵌合面とが互いに干渉しても、テープリール１４が下ハーフ１２との接触抵抗によって固定されることなく、ハーフ側係合部１６ｂと上ハーフ１３の係合部１３ａとが嵌め合わされる向きに回動するようになる。このため、上ハーフ１３と下ハーフ１２とをスムーズに組み合わせることができ、リールロック１６の組み付け不良が発生することを防止することができる。
【００３８】
本実施形態において、リブ２１とテープリール１４との接触抵抗を低減させることができる範囲で、リブ２１の形状を変更することができる。
【００３９】
図４は、本実施形態の磁気テープカートリッジにおいて、リブの変形例を説明する図である。また、図５は、本実施形態の磁気テープカートリッジにおいて、リブの別の変形例を説明する図である。なお、図４及び図５において、上ハーフ、テープリール、及び、リールロック機構などは記載せず省略している。
【００４０】
図４に示すように、下ハーフ４２の内側底面において、リール駆動用開口４２ａの周縁に沿って３つのリブ２２が、互いに間隔をあけて設けられている。図１及び図２を参照すると、磁気テープカートリッジ１０を組み立てる際に、リブ２２がテープリール１４の下方側の面にそれぞれ当接する。こうすれば、下ハーフ４２のリブ２２とテープリール１４とが３点で接触するようになり、図１及び図２で示す磁気テープカートリッジと同様の効果を得ることができる。
【００４１】
また、図５に示すように、下ハーフ５２の内側底面において、リール駆動用開口５２ａの周縁に沿って突設された略環状のリブ２３を設け、このリブ２３の周方向において複数の肉抜き部２３ｂを設けて、リブ２３を複数に分割させた形状としてもよい。また、分割されたリブ２３の上面２３ａにシボ等の表面加工を施して凹凸を形成し、磁気テープカートリッジ１０を組み立てる際に、分割されたリブ２３の上面２３ａがテープリール１４の下方側の面に３点で接触するように構成してもよい。
【００４２】
次に、図６を参照して、本発明に係る磁気テープカートリッジの組立方法の実施形態について説明する。なお、以下に説明する実施形態において、すでに説明した部材などと同等な構成・作用を有する部材等については、図中に同一符号又は相当符号を付すことにより、説明を簡略化或いは省略する。
【００４３】
図６は、磁気テープカートリッジを組み立てる際の状態を説明する断面図である。本実施形態で用いる磁気テープカートリッジの構成は、下ハーフ１２のリブ２１の上面２１ａに表面処理が施されていない点を除き、全て上記実施形態と同じである。なお、下ハーフ１２のリブ２１の上面２１ａに、上記実施形態と同様に表面処理が施されていてもよい。
【００４４】
以下、本実施形態の磁気テープカートリッジの組立方法の工程を説明する。
最初に、下ハーフ１２にテープリール１４を組み付け、続いて、テープリール１４のハブ１４ａ内にリリースパッド１５、リールロック１６、圧縮コイルばね１７等のリールロック機構を順次組み付ける。また、下ハーフ１２には、スライドドア１９、コイルばね１９ａ、誤消去防止爪１８等の必要な部材を組み付ける。
【００４５】
次に、上ハーフ１３と下ハーフ１２を組み合せる前に、下ハーフ１２のリール駆動用開口１２ａから、リール支持部材６０を挿入してテープリール１４におけるハブ１４ａの外側底面１４ｇに押し当てる。
【００４６】
ここで、リール支持部材６０は、円盤状の支持部６１を有し、支持部６１のテープリール１４側の支持面には、ハブ１４ａの外側底面１４ｇに埋め込まれた金属板１４ｈを吸着させることでハブ１４ａを保持する磁石部材６１ａが埋め込まれている。また、支持部６１の支持面と反対側の面には、該支持部６１を軸方向に回転可能に支持する支軸６２が取り付けられている。支軸６２は、図示しない軸受等によって回転自在に支持され、支持部６１の回動を許容している。
【００４７】
上ハーフ１３と下ハーフ１２を組み合せる前に、上記リール駆動用開口から上記リール支持部材６０を挿入し、リール支持部材６０によってテープリール１４を支持することで、テープリール１４を下ハーフ１２から離間させた状態とすることができ、テープリール１４が下ハーフ１２に対して摺動することがなく、接触抵抗が生じることがない。また、リール指示部材６０はテープリール１４を周方向に回動自在に保持し、磁気テープカートリッジの組立時に上ハーフ１２と下ハーフ１３とを組み合わせた際には、リールロック１６のハーフ側係合部１６ｂの嵌合面と上ハーフ１３の係合部１３ａの嵌合面とが互いに干渉しても、ハーフ側係合部１６ｂと上ハーフ１３の係合部１３ａとが嵌め合うことができる向きとなるように、リール支持部材６０の支持部６１が自由に回動するようになる。このため、上ハーフ１３と下ハーフ１２とをスムーズに組み合わせることができ、リールロック１６の組み付け不良が発生することを防止することができる。
【図面の簡単な説明】
【００４８】
【図１】本発明に係る磁気テープカートリッジの構成を示す分解斜視図である。
【図２】図１に示す磁気テープカートリッジを組立てた状態を示す断面図である。
【図３】リブの上面に凹凸を形成した状態を示す模式図である。
【図４】本実施形態の磁気テープカートリッジにおいて、リブの変形例を説明する図である。
【図５】本実施形態の磁気テープカートリッジにおいて、リブの別の変形例を説明する図である。
【図６】磁気テープカートリッジを組み立てる際の状態を説明する断面図である。
【符号の説明】
【００４９】
１０      磁気テープカートリッジ
１１      カートリッジケース
１２      下ハーフ
１３      上ハーフ
１３ａ   （上ハーフの）係合部
１４      テープリール
１４ａ    ハブ
１５      リリースパッド
１６      リールロック
１６ａ    係合面（ハブ側係合部）
１６ｂ    十字状溝部（ハーフ側係合部）
１７      圧縮コイルばね
２１      リブ
６０      リール支持部材
【図１】
2005267788.tif 000003
【図２】
2005267788.tif 000004
【図３】
2005267788.tif 000005
【図４】
2005267788.tif 000006
【図５】
2005267788.tif 000007
【図６】
2005267788.tif 000008